【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
観察試料を載せるステージと、
前記観察試料を撮影する撮影手段と、
前記ステージに載せられた前記観察試料と対峙するように配置される対物レンズと、
前記ステージと前記対物レンズの少なくとも一方を駆動させる焦準駆動部と、
前記観察試料の撮影領域上限、撮影領域下限を設定する撮影条件設定部と、
前記焦準駆動部を制御するオートフォーカス部とを備え、
該オートフォーカス部により所定の位置に対してオートフォーカスを行った後、前記焦準駆動部により前記ステージと前記対物レンズの少なくとも一方を予め定めた一定量の分だけ移動させるオフセット駆動を行い、その後、前記撮影手段が前記撮影条件設定部の設定に従って所定間隔毎に少なくとも２枚以上の焦点位置が異なる前記観察試料を撮影することを特徴とする顕微鏡システム。
【請求項２】
前記撮影条件設定部は撮影枚数、前記焦準駆動部のピッチ、及び撮影時間のうち少なくとも一つを設定することを特徴とする請求項１に記載の顕微鏡システム。
【請求項３】
前記所定の位置とは基準位置である透明体であり、前記観察試料は前記透明体と観察体を含むことを特徴とする請求項１又は請求項２に記載の顕微鏡システム。
【請求項４】
前記オートフォーカス部は、
前記観察試料に対してオートフォーカス用の検出光を出射する焦点検出光源と、
前記観察試料で反射した前記検出光を再び対物レンズを介して受光する受光手段とを有することを特徴とする請求項１から請求項３のうち何れか１項に記載の顕微鏡システム。
【請求項５】
透明体と該透明体上に載置された観察体とからなる観察試料を載せるステージと、
該ステージに載せられた前記観察試料と対峙するように前記ステージより下方に配置される対物レンズと、
前記ステージと前記対物レンズのうち少なくとも一方を観察光軸と平行方向に駆動させる焦準駆動部と、
前記試料を照明するための観察用光源と、
前記対物レンズを介して前記観察試料の撮影を行う撮像装置と、
前記観察光源とは異なる光源で、前記対物レンズの下方から前記観察試料に対してオートフォーカス用の検出光を出射する焦点検出光源と、
前記観察試料における前記透明体から反射した前記検出光を対物レンズを介して受光する受光手段と、
前記受光手段の結果から前記焦準駆動部を制御することで前記透明部材の所定の位置にオートフォーカスをすることが可能なオートフォーカス部と
前記所定の位置を基準とし、前記所定の位置から一定量離れた焦点位置が異なる複数の前記観察体の撮影位置を設定する撮影条件設定部とを備え、
前記オートフォーカス部により前記透明部材から前記焦点検出光が反射される位置である前記所定の位置に対してオートフォーカスを行い、
前記所定の位置へのオートフォーカス終了後、前記撮影条件設定手段にて設定された前記所定の位置から一定量離れた複数の位置で、少なくとも２枚以上の焦点位置が異なる前記観察試体の画像を撮影すること
を特徴とする顕微鏡システム。
【請求項６】
観察光軸と垂直にステージを駆動制御するＸ−Ｙステージ駆動部を更に備えており、前記一定量は、Ｘ−Ｙステージ駆動部により予め位置決めされたステージＸ−Ｙアドレス毎に設定されることを特徴する請求項１から請求項５のうち何れかの１項に記載の顕微鏡システム。
【請求項７】
前記撮影条件設定部は前記所定の位置を基準とした前記焦準駆動部のピッチ、撮影範囲を示す上限及び下限位置、撮影枚数のうち少なくとも何れか１つを設定することで複数の撮影位置を設定することを特徴とする請求項６に記載の顕微鏡システム。
【請求項８】
撮像素子を備え、撮影条件に従って観察試料の撮影を行う観察方法において、
所定の位置に対してオートフォーカスを行う工程と、
前記観察試料の撮影領域上限に駆動する工程と、
前記撮影領域上限から撮影領域下限に駆動する間に、前記撮影条件に従って所定間隔毎に少なくとも２枚以上の焦点位置が異なる前記観察試料の撮影を行う工程とを備えたことを特徴とする観察方法。
【請求項９】
撮像素子を備え、撮影条件に従って観察試料の撮影を行う観察方法において、
所定の位置に対してオートフォーカスを行う工程と、
前記観察試料の撮影領域下限に駆動する工程と、
前記撮影領域下限から撮影領域上限に駆動する間に、前記撮影条件に従って所定間隔毎に少なくとも２枚以上の焦点位置が異なる前記観察試料の撮影を行う工程とを備えたことを特徴とする観察方法。
【手続補正２】
【補正対象書類名】明細書
【補正対象項目名】００１２
【補正方法】変更
【補正の内容】
【００１２】
本発明の顕微鏡システムは、観察試料を載せるステージと、前記観察試料を撮影する撮影手段と、前記ステージに載せられた前記観察試料と対峙するように配置される対物レンズと、前記ステージと前記対物レンズの少なくとも一方を駆動させる焦準駆動部と、前記観察試料の撮影領域上限、撮影領域下限を設定する撮影条件設定部と、前記焦準駆動部を制御するオートフォーカス部とを備え、該オートフォーカス部により所定の位置に対してオートフォーカスを行った後、前記焦準駆動部により前記ステージと前記対物レンズの少なくとも一方を予め定めた一定量の分だけ移動させるオフセット駆動を行い、その後、前記撮影手段が前記撮影条件設定部の設定に従って所定間隔毎に少なくとも２枚以上の焦点位置が異なる前記観察試料を撮影することを特徴とする。
また、本発明の顕微鏡システムは、透明体と該透明体上に載置された観察体とからなる観察試料を載せるステージと、該ステージに載せられた前記観察試料と対峙するように前記ステージより下方に配置される対物レンズと、前記ステージと前記対物レンズのうち少なくとも一方を観察光軸と平行方向に駆動させる焦準駆動部と、前記試料を照明するための観察用光源と、前記対物レンズを介して前記観察試料の撮影を行う撮像装置と、前記観察光源とは異なる光源で、前記対物レンズの下方から前記観察試料に対してオートフォーカス用の検出光を出射する焦点検出光源と、前記観察試料における前記透明体から反射した前記検出光を対物レンズを介して受光する受光手段と、前記受光手段の結果から前記焦準駆動部を制御することで前記透明部材の所定の位置にオートフォーカスをすることが可能なオートフォーカス部と前記所定の位置を基準とし、前記所定の位置から一定量離れた焦点位置が異なる複数の前記観察体の撮影位置を設定する撮影条件設定部とを備え、
前記オートフォーカス部により前記透明部材から前記焦点検出光が反射される位置である前記所定の位置に対してオートフォーカスを行い、前記所定の位置へのオートフォーカス終了後、前記撮影条件設定手段にて設定された前記所定の位置から一定量離れた複数の位置で、少なくとも２枚以上の焦点位置が異なる前記観察試体の画像を撮影することを特徴とする
また、本発明の観察方法は、撮像素子を備え、撮影条件に従って観察試料の撮影を行う観察方法において、所定の位置に対してオートフォーカスを行う工程と、前記観察試料の撮影領域上限に駆動する工程と、前記撮影領域上限から撮影領域下限に駆動する間に、前記撮影条件に従って所定間隔毎に少なくとも２枚以上の焦点位置が異なる前記観察試料の撮影を行う工程とを備えたことを特徴とする。
また、本発明の観察方法は、撮像素子を備え、撮影条件に従って観察試料の撮影を行う観察方法において、所定の位置に対してオートフォーカスを行う工程と、前記観察試料の撮影領域下限に駆動する工程と、前記撮影領域下限から撮影領域上限に駆動する間に、前記撮影条件に従って所定間隔毎に少なくとも２枚以上の焦点位置が異なる前記観察試料の撮影を行う工程とを備えたことを特徴とする。